(57)【要約】【課題】傾動フレームの後端部に背支柱をボルトで締結して成る椅子において、背支柱と傾動フレームとの締結強度を向上させる。【手段】傾動フレーム７は金属製（例えばあみダイキャスト製品）で、主部７ａと起立部７ｂとボス部７ｃとを備えている。背支柱８は合成樹脂製であり、ボス部７ｃに嵌まる中空部４３ａと、その下方に延びる下重合部４２とを備えており、中空部４３ａと下重合部４２とはそれぞれボルト４６，５０で傾動フレーム７に固定されている。中空部４３ａがボス部７ｃに嵌まり込んでいることと、下重合部４２が傾動フレーム７の背面に重なっていることとの相乗効果により、格段に高い強度を確保できる。【選択図】図９
2008132297.tif 000002
【特許請求の範囲】
【請求項１】
ベースに後傾動可能に連結された傾動フレームと、前記傾動フレームの後端部に固定された背支柱と、前記背支柱に取り付けた背もたれとを備えており、前記傾動フレームと背支柱とで背フレームが構成されている、
という椅子であって、
前記傾動フレームは、前記ベースから後方に延びる主部とこの主部の後端から略上向きに延びる起立部とを備えており、前記傾動フレームの起立部は側面視で鉛直線に対して前傾姿勢になっている一方、前記背支柱の下部は前記傾動フレームの起立部に後方から重なっており、傾動フレームの起立部と背支柱の下部とが前後離反不能に固定されている、
椅子。
【請求項２】
ベースに後傾動可能に連結された傾動フレームと、前記傾動フレームの後端部に固定された背支柱と、背支柱に取り付けた背もたれとを備えており、前記傾動フレームと背支柱とで背フレームが構成されており、
前記傾動フレームの後端部には略上向きに突出したボス部が形成されている一方、前記背支柱の下部には、前記傾動フレームのボス部に上方から嵌合する下向き開口の中空部と、前記中空部から下向きに延びていて傾動フレームのうちボス部の下方の部分に後方から重なる下重合部とが形成されており、傾動フレームと背支柱とをその下重合部の任意の部位においてねじで締結している、
椅子。
【請求項３】
前記傾動フレームのボス部とその下方の部分とは全体として側面視で後ろ向き凹状に屈曲した略くの字の形態を成している一方、背支柱の中空部と下重合部とも全体として側面視で後ろ向き凹状に屈曲した略くの字の形態を成しており、
背支柱の中空部と下重合部とのいずれか一方又は両方がねじで傾動フレームに固定されている、
請求項２に記載した椅子。
【発明の詳細な説明】
【技術分野】
【０００１】
本願発明は、後傾動可能な背フレームに背もたれを取り付けているロッキング椅子に関するものである。
【背景技術】
【０００２】
椅子において、背もたれを後傾動させるための機構として、後傾動する背フレームに背もたれを取り付けたものがある（背フレームはばね手段に抗して後傾動する。）。この場合は、背フレームを全体として一体に製造する場合と、複数の部材からなる複合品として製造する場合とがある。
【０００３】
背フレームを複数の部材からなる複合品として製造すると、各部材が小さくなるため製造・加工の手間が省ける利点や、背フレームを強度が必要な部分は金属製として他の部分は軽量な樹脂製にするというように素材の特性を活かせるといった利点がある。背フレームはかなり大きな寸法があるため、全体をダイキャストや射出成形で製造するとおおがかりな設備が必要になり、このため、加工・製造の面において複数の部材に分離するのはメリットがあると言える。
【０００４】
背フレームを複数の部材で構成する場合、部材の相互間は互いに重ね合わせてねじ類等のファスナーで締結する必要がある。その例として特許文献１には、座が固定されているベース部材に後傾動可能に連結された後部支持体に左右一対の起立部を設ける一方、背支柱を左右の縦枠部とその上端に連結した水平部とを有する背面視で下向き開口コ字状に形成して、背支柱の左右縦枠部を後部支持体の左右起立部にボルト（ビス）で締結することが記載されている。更に、この特許文献１では、背支柱の縦枠部と後部支持体の起立部とは、背支柱の縦枠部が前に位置する状態で前後に重なり合っており、両者を前後方向に延びる姿勢のボルトで締結している。
【特許文献１】特許第３２７８１７０号公報
【発明の開示】
【発明が解決しようとする課題】
【０００５】
背もたれには人の体圧が大きな荷重として作用するが、この荷重は背フレームの下部に大きなモーメントとして作用する。従って、背フレームは堅牢な構造になっている必要があり、複数の部材を締結して構成されている場合、その締結部は十分な強度を要する必要がある。
【０００６】
しかして、特許文献１のように背支柱の縦枠部と後部支持体の起立部とが前後に重なり合っているに過ぎない構成では、背支柱に作用した荷重は背支柱の縦枠部と後部支持体の起立部とに単純な曲げ力として作用するに過ぎないため、十分な強度を得るには背支柱と後部支持体との重合部を分厚い構造にしなければならず、また、ボルトには背支柱に作用した荷重が軸方向の力として作用するが、ボルトによる縦枠及び背支柱の支持面積はだいたい決まっている（頭の座面の面積はおおむね決まっている）ため、高い締結強度を得るにはボルトの本数を増やさねばならないという問題である。
【０００７】
例えば事務用に多用されているロッキング式の回転椅子では、背もたれは大きな角度で後傾するが、背もたれの後傾角度が大きくなるとそれだけ背フレームに作用するモーメントは大きくなるため、背フレームを複数の部材で構成している場合の連結部の強度保持は椅子を設計する上で必要不可欠の問題として要請されるが、特許文献のような単純な締結構造ではこのような要請に応えることはできないと言える。
【０００８】
更に述べると、特許文献１では背支柱の縦枠部は後部支持体の前面に重なっているため、ロッキングによって背もたれに作用した荷重（背もたれ荷重）により、背支柱の縦枠部は後部支持体の上端を支点にして回動する（後傾動する）傾向を呈し、そのため、ロッキングにより背もたれに作用するモーメントは、背支柱の縦枠部を後部支持体から離反させるように作用する。このためボルトに大きな負担が掛かって、高い締結強度を確保し難いと言える。
【０００９】
本願発明は、このような現状に鑑み成されたものであり、傾動フレームに背支柱を固定することで背フレームを構成している椅子において、傾動フレームと背支柱との締結部を、ロッキングに際してのモーメントを的確に支持して高い締結強度を確保できる構成とすることを課題とするものである。
【課題を解決するための手段】
【００１０】
本願発明は２つのアプローチを有している。両アプローチの椅子とも対象は共通している。すなわち、本願発明は、「ベースに後傾動可能に連結された傾動フレームと、前記傾動フレームの後端部に固定された背支柱と、前記背支柱に取り付けた背もたれとを備えており、前記傾動フレームと背支柱とで背フレームが構成されている」という基本構成の椅子を対象にしている。
【００１１】
そして、一つのアプローチの発明では、請求項１に記載したように、前記傾動フレームは、前記ベースから後方に延びる主部とこの主部の後端から略上向きに延びる起立部とを備えており、前記傾動フレームの起立部は側面視で鉛直線に対して前傾姿勢になっている一方、前記背支柱の下部は前記傾動フレームの起立部に後方から重なっており、傾動フレームの起立部と背支柱の下部とが前後離反不能に固定されている。
【００１２】
他のアプローチの発明では、請求項２に記載したように、前記基本構成において、前記傾動フレームの後端部には略上向きに突出したボス部が形成されている一方、前記背支柱の下部には、前記傾動フレームのボス部に上方から嵌合する下向き開口の中空部と、前記中空部から下向きに延びていて傾動フレームのうちボス部の下方の部分に後方から重なる下重合部とが形成されており、傾動フレームと背支柱とをその下重合部の任意の部位においてねじで締結している。なお、前記中空部は「袋状部」又は「ポケット部」と呼ぶことも可能である。
【００１３】
請求項３の発明は請求項２を展開したものであり、この発明では、請求項２において、前記傾動フレームのボス部とその下方の部分とは全体として側面視で後ろ向き凹状に屈曲した略くの字の形態を成している一方、背支柱の中空部と下重合部とも全体として側面視で後ろ向き凹状に屈曲した略くの字の形態を成しており、背支柱の中空部と下重合部とのいずれか一方又は両方がねじで傾動フレームに固定されている。
【発明の効果】
【００１４】
人が背もたれに凭れかかることによる荷重（背もたれ荷重）は背支柱を後ろに倒す外力として作用する。従って、特許文献１のように単に後部支持体の起立部と背支柱とが前後に重なっているに過ぎない構成では、背支柱はその下端を中心にして後部支持体の起立部から後ろ側に離反する傾向を呈し、その結果、ボルトにも過大な負担がかかる。
【００１５】
これに対して本願の請求項１の発明では、傾動フレームの起立部が側面視で前傾していることと、背支柱の下部が傾動フレームの起立部に後方から重なっていることとの相乗効果により、ロッキングによって背もたれに作用したモーメントは背支柱の下部を傾動フレームの起立部に後方から押し付ける（密着させる）ように作用し、その結果、傾動フレームの起立部と背支柱の下部とは、多数本のボルトで締結するというような過度の固定手段を講じることなくしっかりと固定された状態に保持される。
【００１６】
同様に本願の請求項２，３の構成では、傾動フレームのボス部と背支柱の筒状部とが嵌合していることにより、背支柱はその筒状部によって請求項から離反することが阻止されてるのであり、これに加えて、筒状部から下重合部が下向きに延びているため、筒状部に作用するモーメント（負担）は小さくなり、その結果、特許文献１に比べて格段に高い耐荷重強度を確保することができる。また、背支柱の筒状部が傾動フレームのボス部に嵌まることで背支柱は自動的に位置決めされるため、椅子の組み立ての手間も軽減できる。
【００１７】
椅子の背もたれは非ロッキング状態で若干後傾していることが殆どである。また、椅子の背もたれの下部は側面視で前向き突状に湾曲（又は屈曲）していることも多い（主として、人の腰部を支えるランバーサポート機能を確保するためである。）。従って、背フレームを傾動フレームと背支柱とで構成すると、背支柱を後傾姿勢とする一方、傾動フレームの後端部は側面視で前傾姿勢に形成すると、傾動フレームは座と干渉することを回避できると共に背もたれの形状への追従性も確保できて好適であると言える。
【００１８】
そして、請求項２の発明では、仮に背支柱の筒部を傾動フレームのボス部に嵌めただけの形態であって背支柱に下重合部が存在しない場合は、傾動フレームの後部を前傾姿勢に形成すると、背支柱の下部を前傾姿勢の筒部に形成してこれを傾動フレームの後部に嵌め込む構造を採用せざるを得ず、すると、背支柱の下端部に荷重が集中して強度が低下する。これに対して本願発明では、請求項２に記載しているように、背支柱に下重合部が存在するため、傾動フレームの後端部を側面視でくの字状に形成しても、背支柱の下部を側面視でくの字状に形成して高い強度を確保することができるのである。
【００１９】
下記の実施形態から理解できるように、請求項１の構成と請求項２，３の構成とを融合させることによってより好適な椅子を提供できる。つまり、請求項１の発明と請求項２，３の発明とは対立するものではなく、共通の課題のために互いに補完・融合し合える関係にある。
【発明を実施するための最良の形態】
【００２０】
次に、本願発明の実施形態を図面に基づいて説明する。図１〜図１０では第１実施形態（主たる実施形態）を示している。本実施形態は事務用に多用されている回転椅子に適用しており、まず、椅子の概要を図１，２に基づいて説明する。図１のうち（Ａ）は前方から見た斜視図、（Ｂ）は右側面図、図２のうち（Ａ）は背面図、（Ｂ）は後方から見た斜視図である。
【００２１】
(1).概要
椅子は、脚１と座２と背もたれ３とを備えている。脚１は、放射状に延びる枝足４とガスシリンダよりなる脚支柱５とを備えており、脚支柱５の上端には上向き開口箱状のベース６が固定されている。背もたれ３は、その全体がエラストマーを配合した樹脂板からなっており、一般成人が両手で持ってごく軽い力で折り曲げできるほどの柔軟性を有している。
【００２２】
ベース６の後端部でかつ左右両側部には、側面視で略後傾姿勢の左右一対の傾動フレーム７が左右長手の軸（図示せず）によって連結されている。傾動フレーム７の後端には上下長手の背支柱８がボルトで固定されており、背支柱８の上端部に背もたれ３の上部が固定されている。傾動フレーム７はアルミ等の金属製（ダイキャスト製品）であり、背支柱８は合成樹脂製であり、傾動フレーム７と背支柱８とで背フレーム（バックフレームと呼んでも良い）が構成されている。
【００２３】
座２は、ベース６の前部に連結した左右一対のフロントリンク９と、傾動フレーム材７に回動自在に取り付けられた左右一対のリアリンク１０とに連結されており、人が腰掛けると、座２は、リンク９，１０の回動によって下降しつつ後退動する。
【００２４】
他方、背もたれ３の下部はアッパーリンク１１及びロアリンク１２によって連結されており、人が着座して座２が下降すると背もたれ３の下部が前進動するようになっている。従って、人が浅く腰掛けても、背もたれ３の下部のランバーサポート部３ａ（側面視で前向き突状に湾曲している部分）で人の腰が支えられる。左右傾動フレーム材７の前部にはそれぞれ肘掛け装置１３を取り付けている。
【００２５】
また、図２（Ｂ）から理解できるように、アッパーリンク１１は平面視で前向き凹状に湾曲した弓形に形成されており、その左右両端部が背もたれ３におけるランバーサポート部３ａの左右両端部に連結されている。このため、ランバーサポート部３ａは人の体圧によって伸び変形し得る。このためフィット性に優れている。特に、ロッキングに際してはランバーサポート部３ａが伸び変形することで背もたれ３は側面視で平坦状に伸びる傾向を呈しており、このため、非ロッキング時にはランバーサポート機能を発揮しつつ、ロッキング時には人の背は全体にわたって違和感のない状態に支えられる。
【００２６】
左右の傾動フレーム７の間には、座２の下降動によって背もたれ３のランバーサポート部３ａを前進させる連動装置が配置されており、アッパーリンク１１とロアリンク１２とは、連動装置を構成する前後傾動式で上下長手のバックリンク１４（図２（Ｂ）参照）に連結されている。なお、背もたれ３のランバーサポート部３ａは前進した位置に固定的に保持される訳ではなく、ある程度の後ろ向き外力がかかるとばね手段に抗して後退し得る（人が椅子に深く腰掛けると、ランバーサポート３ａは前進しない。）。
【００２７】
図２から理解できるように、背支柱８は、上下長手の左右の縦枠８ａ、左右縦枠８ａの下端に一体に繋がった下水平枠８ｂ、左右縦枠８ａの上端に一体に繋がった上水平枠８ｃ、の４つの部分を備えており、全体として前後開口の四角枠状になっている。そして、上水平枠８ｃに、背もたれ板３の背面に重なる横長長方形のアッパープレート８ｄを一体に形成している。アッパープレート８ｄは左右縦枠８ａの左右外側に張り出しており、背もたれ板３の左右横幅とほぼ同じ（若干だけ短い）幅寸法になっている。アッパープレート８ｄは大小のカバー１５，１６で覆われている。
【００２８】
次に、図３以下の図面も参照し傾動フレーム７及び背支柱８の構造の詳細と連結構造を説明する。図３は傾動フレーム７の斜視図、図４のうち（Ａ）は傾動フレーム７を内側から側面図（実際の姿勢より寝かせて描いている）、（Ｂ）は傾動フレーム７の平面図、図５は背支柱８の一部省略部分斜視図、図６のうち（Ａ）は傾動フレーム７に背支柱８を固定した状態での背面図、（Ｂ）は傾動フレーム７の背面図、（Ｃ）は背支柱８の部分的な背面図である。
【００２９】
更に、図７のうち（Ａ）は傾動フレーム７に背支柱８を締結した状態での側面図、（Ｂ）は背支柱８の部分側面図、（Ｃ）は（Ｂ）のＣ−Ｃ視図、（Ｄ）は（Ｃ）のＤ−Ｄ視断面図、図８は傾動フレーム７と背支柱８との分離側断面図、図９のうち（Ａ）は傾動フレーム７と背支柱８とを締結した状態での縦断側面図、（Ｂ）は（Ａ）のＢ−Ｂ視断面図、（Ｃ）は（Ａ）のＣ−Ｃ視断面図である。
【００３０】
(2).傾動フレーム
まず、傾動フレーム７の構造を説明する。図３，４に示すように、傾動フレーム７は、側面視で水平に対して例えば２５〜３０°程度の角度で後傾した主部７ａと、主部７ａの後端から前傾姿勢で立ち上がった起立部７ｂと、起立部７ｂから略鉛直に近い姿勢で立ち上がったボス部７ｃとで構成されており、全体としては側面視略Ｌ字状になっており、後部のみを見ると、起立部７ｂとボス部７ｃとが略くの字状の形態になっている。主部７ａと起立部７ｂとは側面視で略直交している。従って、非ロッキング状態において起立部７ｂが鉛直線に対して前傾した角度は２５〜３０°程度になっている。以下、具体的な構造を説明する。
【００３１】
主部７ａの前端部には、ベース６に連結するための軸が嵌まる軸受け穴１８が形成されており、軸受け穴１８のやや後部でかつ上部には、背もたれ３の後傾動に連動して座２を後退及び後傾させるためのシンクロ用軸が嵌まる軸受け筒部１９が形成されており、更に、前部には、肘装置１３を取り付けるための中空状の肘受け部２０が左右外向きに張り出した状態に一体に形成されている。また、主部７ａの内側部には、既述した連動装置を構成する受け部材（図示せず）を固定するための受け部２１が形成されている。主部７ａは内向き開口の中空状で内部には補強リブ２２が形成されている。
【００３２】
傾動フレーム７の起立部７ｂは主部７ａと略同じ程度の横幅になっており、背面はフラットになっている。また、起立部７ｂと主部７ａとが繋がっているコーナー部の外角部には、側断面視で後傾状の底面２３ａを有する下切欠き部２３が形成されている。そして、下切欠き部２３の手前側に横向き開口の下ナット収納穴２４が形成されており、下ナット収納穴２４と下切欠き部２３とを連通するボルト挿入穴２５が空いている。下ナット収納穴２４には六角ナット２６を横方向から嵌め入れることができる。
【００３３】
下ナット収納穴２４は主部７ａの後部空所２７と連通しているが、必ずしも連通させる必要はない。なお、下切欠き部２３の底面２３ａは側面視において主部７ａの下面に対して５５°前後の角度で傾斜しており、また、下切欠き部２３の底面２３ａは側面視でボス部３５の延び方向と平行に延びている。
【００３４】
例えば図４（Ｂ）や図６（Ｂ）から理解できるように、傾動フレーム７のボス部３５は起立部７ｂよりも幅狭であり、かつ、起立部７ｂの背面２８はボス部３５の左右外側に広がっている。従って、図６（Ｂ）に示すように、起立部７ｂの背面２８は背面視で上向き開口コ字状の形態を成しており、この背面２８の下部に下切欠き部２３が形成された状態になっている。
【００３５】
例えば図４や図８に明示されているように、傾動フレーム７のボス部７ｃは、側面視で先窄まり形状の基部２９と、側面視で略平行形状な先端部３０とを備えており、全体としては先窄まり形態になっている。基部２９の上面と先端部３０の上面とは側面視でくの字状に屈曲しているが、基部２９の背面と先端部３０の反面とは滑らかに連続している。また、図６（Ｂ）や図９（Ｂ）から理解できるように、ボス部７ｃは、平断面視で後ろ側が
幅狭の台形に近い断面形状になっている。
【００３６】
そして、ボス部７ｃを構成する基部２９の下端部には、左右片側に開口した上ナット収納穴３２と、上ナット収納穴３２に連通して手間側に開口した上ボルト挿通穴３３とが形成されている。図９（Ｃ）に示すように、上ナット収納穴３２の内部には、ナット３４の挿入位置を規制するストッパー部３５が形成されている。また、上ボルト挿通穴３３の軸線は側面視で水平に対してやや後傾姿勢になっている。また、基部２９のうち上ボルト挿通穴３３が開口している部分は、ナット３４の座面と平行な段部３６になっている。
【００３７】
図３から容易に理解できるように、起立部７ｂの上面には逆台形状の上向き凹所３７が形成されている。また、起立部７ｂの背面には、ボス部７ｃに連続して下向きに延びる尾根部３８が一体に形成されている。ボス部７ｃ及び尾根部３８には、左右両側に開口した横向き凹所３９が形成されている。
【００３８】
(3).背支柱及びその締結構造
次に、背支柱８の形態と締結構造とを説明する。例えば図５や図７（Ｄ）に示すように、背支柱８の縦枠８ａは前向きに開口した樋状に形成されており、その内部には多数の補強リブ４１が形成されている（図５において右側の縦枠８ａの凹所とリブは省略している。）。また、背支柱８の下水平部８ｂも前向きに開口した樋状になっており、その内部にも補強リブ４１が形成されている。
【００３９】
背支柱８における縦枠８ａの下部は、傾動フレーム７における起立部７ｂとボス部７ｃとの側面視形態に倣って側面視で略くの字状の形態を成している。すなわち、背支柱８の縦枠８ａは、その下端部を構成する前傾部４２とこれに連続した後傾部４３とで側面視略くの字の形態を成している。本実施形態では、前傾部４２が請求項に記載した下重合部に該当する。そして、後傾部４３の下部は、傾動フレーム７のボス部７ｃに嵌合する下向き開口の中空部（筒状部）４３ａになっており、縦枠８ａの前傾部４２は前向きに開口した樋状に形成されている。
【００４０】
図８及び図９（Ａ）から理解できるように、縦枠８ａの中空部４３ａは傾動フレーム７のボス部７ｃにきっちり嵌合するようになっている。他方、縦枠８ａの前傾部４２は、傾動フレーム７の尾根部３８を覆った状態で起立部７ｂの背面２８に密着している、また、傾動フレーム７における起立部７ｂの左右側面と背支柱８における前傾部４２の左右側面とは略同一面状に揃っている。
【００４１】
例えば図８や図９（Ａ）に示すように、背支柱８における中空部４３ａの前壁部下端には、傾動フレーム７における起立部７ｂの上向き凹所３７に嵌合する突部４３が形成されている。かつ、背支柱８における中空部４３ａの前壁部下端部には、ボス部７ｃの付け根箇所の段部３６に嵌合する段違い部４４が形成されており、この段違い部４４にボルト挿通穴４５が空いている。段違い部４４の前面にはボルト４６の頭が嵌まる座ぐり穴４７が形成されている。
【００４２】
背支柱８における前傾部４２の下端には、傾動フレーム７の下切欠き部２３に後方から嵌合する下突起部４８が形成されている。下突起部４８は略袋状に形成されており、また、下切欠き部２３の底に重なる下向き開口袋状の下重合部４８ａを備えており、下重合部４８ａにボルト挿通穴４９が空いている。下重合部４８ａにはボルト５０の頭が入り込むようになっている。
【００４３】
(4).まとめ
以上の説明から既に理解できているように、背支柱８は、その中空部４３ａを傾動フレーム７のボス部７ｃに挿入してから、上下のボルト４６，５０をナット３４，２６にねじ込むことにより、傾動フレーム７に締結される。そして、図９（Ａ）に白抜き矢印Ａで示すように、ロッキングによって背支柱８には後ろ向きの外力が作用するが、背支柱８の中空部４３ａが傾動フレーム７のボス部７ｃに嵌まっているため、背もたれ荷重に対して高い支持強度が保持されている。
【００４４】
また、上下のボルト４６，５０はボス部７ｃに対する背支柱８の差し込み方向と略直交した方向に延びる姿勢になっているため、特に中空部４３ａがボス部７ｃにしっかりと固定されることになり、その結果、特定箇所に外力が集中することを抑制して高い締結強度を得ることができる。また、本実施形態のように上部のボルト４６を前方からねじ込むと、中空部４３ａの前板がボス部７ｃにしっかりと固定されるため、中空部４３ａが変形することを抑制していっそう高い強度を確保できる。
【００４５】
なお、傾動フレーム７に雌ねじ穴を形成してこれにボルト４６，５０をねじ込むことも可能であるが、本実施形態のように構成すると、ナット収納穴２４，３２は傾動フレーム７のダイキャスト加工で形成されるため、加工の手間を抑制できる利点がある。本実施形態のように背支柱８の縦枠８ａにリブ４１を形成すると、縦枠８ａのねじれ等に対する強度が格段に向上する利点がある。
【００４６】
仮に中空部４３ａとボス部７ｃのみの嵌合に過ぎない場合は、本実施形態のように傾動フレーム７の後部がくの字状に形成されていると、中空部４３ａとボス部７ｃとの嵌まり合い寸法を大きくできないため高い締結強度を確保することができないが、本実施形態では、背支柱８は中空部４３ａから下方に延びる前傾部４２を有しており、この前傾部４２の存在によって背支柱８と傾動フレーム７との重合部の上下長さを格段に長くできるため、締結強度が格段に高くなるのである。
【００４７】
また、傾動フレーム７の後部（起立部７ｂとボス部７ｃとからなる略上向き姿勢の後部）を略くの字状に形成すると、傾動フレーム７と背支柱８とからなる背支持フレームは背もたれの形態に倣った自然なプロフィールになるが、本願発明では、背支柱８が中空部４３ａの下方においても傾動フレーム７に重なっているため、傾動フレーム７の起立部７ｂとボス部７ｃとが側面視で屈曲した姿勢であっても、背もたれ荷重の大きなモーメントに抗し得る高い強度を得ることができるのである。
【００４８】
なお、傾動フレーム７における起立部７ｂが鉛直線に対して前傾した角度（或いは背支柱８における縦枠８ａの前傾部４２が鉛直線に対して前傾した角度）は背もたれ３の形状等に応じて任意に設定できる。実施形態では既述のとおり２５〜３０°程度になっているが、例えば１０〜３５度程度と成すことも可能である。
【００４９】
本実施形態のように傾動フレーム７の後部及び背支柱８の下部とが側面視でくの字状の形態になっていると、ロッキングに伴う荷重（モーメント）は背支柱８の前傾部４２を傾動フレーム７の起立部７ｂに対して密着させるように作用するため、すなわち、モーメントが広い面積にわたって分散して支持されるため、支持強度がいっそう向上する利点がある。この点も含めて、起立部７ｂを前傾させたことの利点を図１０の模式図に基づいて説明する。
【００５０】
図１０のうち（Ａ）では本実施形態における傾動フレーム７と背支柱８との骨組みを示している。他方、（Ｂ）（Ｃ）は請求項１の発明に対する比較例であり、（Ｂ）では傾動フレーム７の起立部７ｂと背支柱８の下部（重合部）４２とは側面視で鉛直姿勢になっており、更に（Ｃ）では傾動フレーム７の起立部７ｂと背支柱８の下部（重合部）４２とは側面視で鉛直線に対して後傾姿勢になっている。傾動フレーム７の主部７ａは三者とも同じ傾斜角度になっている。
【００５１】
ロッキングによって背支柱８に背もたれ荷重が作用すると背フレームにはその回動支点を中心にして後傾させようとするモーメンが作用する。三者の共通した箇所に作用するモーメントを仮にＦとすると、背もたれ荷重は傾動フレームの回動支点を中心にした円弧の方向を向いているため、Ｆは水平分力Ｆ１と垂直分力Ｆ２との合力として捉えることができる。
【００５２】
そして、三者とも背支柱８の下部４２に対するモーメントＦの作用方向は同じであるが、本実施形態では傾動フレーム７の起立部７ｂが前傾しているため、背支柱８の下部４２に作用したモーメントＦのうち垂直分力は背支柱８の下部４２を傾動フレーム７の起立部７ｂに密着するように作用する。このため、背支柱８の下部４２を傾動フレーム７の起立部７ｂから離反させようとする外力はＦよりも相当に小さくなっている。このため、背支柱８の下部４２と傾動フレーム７の起立部７ｂとは高い締結強度が確保されている。
【００５３】
また、ロッキングに際して背支柱８の下部（起立部７ｂに対する重合部）４２は起立部７ｂの上端を中心にして図面の状態で時計回りに回動するように作用するが、傾動フレーム７の主部７ａと起立部７ｂとが側面視で略直交しているため、矢印Ｆ３で示すように、背支柱８の下部４２の下端部に作用したモーメントは主部７ａに対してこれを軸方向に圧縮しようとする外力として作用することになり、このため、傾動フレーム７の対荷重強度が格段に高く保持されている（圧縮応力は曲げ応力やせん断応力よりも格段に高いからである）。なお、ロッキングによって傾動フレーム７と背支柱８との姿勢は変わるが、両者に作用する力の関係は一定である。
【００５４】
他方、非ロッキング状態で起立部７ｂが鉛直姿勢にしてある比較例である（Ｂ）では、ロッキングに際して背支柱８に作用するモーメントＦの垂直分力は起立部７ｂから滑るように作用するに過ぎず、このため、モーメントＦの大部分は水平分力となって背支柱８の下部４２を傾動フレーム７の起立部７ｂから離反させようとするように作用する。従って、両者を単にボルトで締結しただけのような場合は、高い締結強度を確保するにはボルトの本数を増やす等の対策を講じる必要がある。
【００５５】
更に起立部７ｂが後傾している比較例である（Ｃ）では、背支柱８に作用したモーメントＦの垂直分力Ｆ２も背支柱８の下部４２を傾動フレーム７の起立部７ｂから離反させるように作用するため、両者をボルトで締結しているに過ぎない場合は当該ボルトに大きな負荷が作用することになり、このため単にボルト類で締結したに過ぎない状態では高い締結強度を確保し難い。
【００５６】
以上のように、請求項１の発明及び本実施形態では、側面視で起立部７ｂが前傾していることと、背支柱８の下部４２が起立部７ｂに後方から重なっていることとにより、高い締結強度を確保できるのである。但し、請求項２のように背支柱の下部に中空部を設けることにより、図１０（Ｂ）（Ｃ）のような態様であっても高い締結強度を確保することができる。
【００５７】
(5).他の実施形態（図１１）
図１１では他の実施形態を模式的に示している。（Ａ）（Ｂ）（Ｃ）はそれぞれ請求項１と請求項２とを融合させた形態であり、起立部７ｂは前傾姿勢になっている。そして、（Ａ）に示す例では、背支柱８に下向き開口の中空部４３ａを設けることに加えて、起立部７ｂの下端にも上向き開口の中空部７ｄを設けており、上向き開口の中空部７ｄに背支柱９８の下部（前傾部）４２の下端部を嵌め入れている。この場合は、起立部７ｂと前傾部４２とは例えば１本のビスで固定するだけでも十分な締結強度が確保される。
【００５８】
（Ｂ）に示す例では、起立部７ｂの下端に上向き開口の中空部７ｄを設けて、上向き開口の中空部７ｄに背支柱９８の下部（前傾部）４２の下端部を嵌め入れている。この（Ｂ）の場合は、起立部７ｂの上端部と背支柱８とは離反不能にボルト類で締結する必要がある。
【００５９】
（Ｃ）に示す例では、背支柱８の下部４２を傾動フレーム７における起立部７ｂの前面に重ねており、かつ、傾動フレーム７における主部７ａの後端に上向き開口の中空部７ｄを形成して、この中空部７ｄに背支柱９８の下部（前傾部）４２の下端部を嵌め入れている。傾動フレーム７と背支柱８とをこのような配置態様・嵌合態様と成すことは、起立部７ｂが前傾していない場合でも採用可能であり、本願発明と同じ効果を得ることができる。
【００６０】
(6).その他
本願発明は上記の実施形態の他にも様々に具体化できる。例えば、傾動フレームは全体を一体化することも可能であり、更に、板金製品としたり樹脂成形品としたりするなど、素材や加工方法は任意に選択できる。また、背支柱も、例えば下向き開口の門形に形成するなど、形状に限定はない。更に、本願発明は、背もたれの荷重支持面をネット（網状体）で構成したネット椅子にも適用できる。
【図面の簡単な説明】
【００６１】
【図１】（Ａ）は前方から見た斜視図、（Ｂ）は右側面図である。
【図２】（Ａ）は背面図、（Ｂ）は後方から見た斜視図である。
【図３】傾動フレームの斜視図である。
【図４】（Ａ）は傾動フレームを内側から側面図、（Ｂ）は傾動フレームの平面図である。
【図５】背支柱の一部省略部分斜視図である。
【図６】（Ａ）は傾動フレームに背支柱を固定した状態での背面図、（Ｂ）は傾動フレームの背面図、（Ｃ）は背支柱の部分的な背面図である。
【図７】（Ａ）は傾動フレームに背支柱を締結した状態での側面図、（Ｂ）は背支柱８の部分側面図、（Ｃ）は（Ｂ）のＣ−Ｃ視図、（Ｄ）は（Ｃ）のＤ−Ｄ視断面図である。
【図８】傾動フレームと背支柱との分離側断面図である。
【図９】（Ａ）は傾動フレームと背支柱とを締結した状態での縦断側面図、（Ｂ）は（Ａ）のＢ−Ｂ視断面図、（Ｃ）は（Ａ）のＣ−Ｃ視断面図である。
【図１０】作用を示すための説明図である。
【図１１】他の実施形態を示す模式図である。
【符号の説明】
【００６２】
３  背もたれ
７  傾動フレーム
７ａ  主部７
７ｂ  起立部
７ｃ  ボス部
８  背支柱
８ａ  縦枠
４２  背支柱の前傾部
４３  背支柱の後傾部
４３ａ  背支柱の中空部
３２，４５  ナット収納穴
２６，３４  ナット
４６，５０  ボルト
【図１】
2008132297.tif 000003
【図２】
2008132297.tif 000004
【図３】
2008132297.tif 000005
【図４】
2008132297.tif 000006
【図５】
2008132297.tif 000007
【図６】
2008132297.tif 000008
【図７】
2008132297.tif 000009
【図８】
2008132297.tif 000010
【図９】
2008132297.tif 000011
【図１０】
2008132297.tif 000012
【図１１】
2008132297.tif 000013